(57)【要約】【課題】より的確に利用者を目的地に誘導することが可能な行先経路案内システムを提供する。【解決手段】案内装置本体２は、通信部２１、入力部２２、ディスプレイ装置２３ａ、スピーカ２３ｂ、記憶部２４、および、処理部２５を備え、記憶部２４には、任意の行き先にエスカレータ，エレベータを経由して辿り着くまでの経路情報ｄ１が格納されている。そして、処理部２５は、入力部２２により指定された行き先にエスカレータ，エレベータを経由して辿り着くまでの経路情報ｄ１を記憶部２４から選定し、その経路情報ｄ１をディスプレイ装置２３ａに出力する。【選択図】図３
2005200181.tif 000002
【特許請求の範囲】
【請求項１】
任意の行き先に昇降機を経由して辿り着くまでの経路情報を格納する記憶部と、
任意の行き先を指定する入力部と、
上記入力部により指定された行き先に昇降機を経由して辿り着くまでの経路情報を上記記憶部から選定する処理部と、
上記処理部により選定された経路情報を利用者に対して出力する情報出力部と
を備えていることを特徴とする行先経路案内システム。
【請求項２】
上記経路情報には、昇降機の乗り継ぎに関する案内情報が設定されていることを特徴とする請求項１記載の行先経路案内システム。
【請求項３】
上記処理部は、上記入力部により行き先が指定された場合、予め設定された時間が経過した後に、経由する昇降機であるエレベータのかごを乗場に移動させる登録をエレベータ制御装置に対して行うことを特徴とする請求項１記載の行先経路案内システム。
【請求項４】
上記昇降機には、エレベータが含まれ、上記情報出力部は、上記エレベータのかご内に設けられていることを特徴とする請求項１記載の行先経路案内システム。
【請求項５】
上記昇降機には、エスカレータが含まれ、上記情報出力部は、上記エスカレータに設けられていることを特徴とする請求項１記載の行先経路案内システム。
【請求項６】
上記入力部および情報出力部は、携帯機器に搭載され、
上記携帯機器と上記処理部との間は、無線による情報通信が可能になっていることを特徴とする請求項１から５までのいずれかに記載の行先経路案内システム。
【請求項７】
上記情報出力部は、上記経路情報を音声により案内するようになっていることを特徴とする請求項１から６までのいずれかに記載の行先経路案内システム。
【発明の詳細な説明】
【技術分野】
【０００１】
本発明は、行き先までの経路を案内する行先経路案内システムに関する。
【背景技術】
【０００２】
従来のエレベータの誘導システムにおいては、例えば、利用者が建物内にあるレストラン等の目的地に行く場合、その利用者が持つ携帯端末からの音声案内により、その利用者を目的地まで誘導するように構成されている（例えば、特許文献１参照）。
【０００３】
【特許文献１】特開２００１−１０６４４４号公報
【発明の開示】
【発明が解決しようとする課題】
【０００４】
しかし、利用者が音声案内に従って移動を始めても、その利用者は、事前に、目的地に辿り着くまでの全体の移動経路を把握することなく、移動を始めることとなっている。このため、移動経路にエレベータ等の昇降機が設置されていても、利用者は、その昇降機の利用を十分に確認できないまま移動を開始することとなり、より円滑に目的地に辿り着くことができなかった。
【０００５】
そこで、本発明は、上述のような課題を解決するためになされたもので、より的確に利用者を目的地に誘導することが可能な行先経路案内システムを得るものである。
【課題を解決するための手段】
【０００６】
本発明の行先経路案内システムは、任意の行き先に昇降機を経由して辿り着くまでの経路情報を格納する記憶部と、任意の行き先を指定する入力部と、入力部により指定された行き先に昇降機を経由して辿り着くまでの経路情報を記憶部から選定する処理部と、処理部により選定された経路情報を利用者に対して出力する情報出力部とを備えている。
【発明の効果】
【０００７】
本発明の行先経路案内システムは、入力部により指定された行き先に昇降機を経由して辿り着くまでの経路情報を記憶部から選定し、その経路情報を利用者に対して出力するので、昇降機を経由した行き先までの経路を利用者に把握させることができる。したがって、より的確に利用者を目的地に誘導することができる。
【発明を実施するための最良の形態】
【０００８】
実施の形態１．
図１は、本発明の実施の形態１に係る昇降機システムの要部を示すブロック図である。ここでは、複数のエレベータ及びエスカレータが高層ビルに設置されている場合を例にして説明する。
図１において、群管理装置１は、複数のエレベータとエスカレータとの運転を群管理するようになっている。つまり、群管理装置１は、エレベータの運転を制御するエレベータ制御装置としての機能と、エスカレータの運転を制御するエスカレータ制御装置としての機能とを有している。
また、群管理装置１には、案内装置本体２が接続されている。案内装置本体２は、ビル内の来訪者等に対して、行き先までの経路を案内するサービスを行うようになっている。さらに、この群管理装置１には、各エレベータのかご内に設けられているかご内表示部３、および、エスカレータに設けられているエスカレータ用表示部４がそれぞれ接続されている。各かご内表示部３、および、各エスカレータ用表示部４は、例えばディスプレイ装置である。
【０００９】
図２は、昇降機システムが設けられている高層ビル内の一部を示す説明図である。図２によると、案内装置本体２は、１階の受付に設置され、高層ビルの来訪者に対して、行き先（例えば３２階のレストラン等）までの経路を案内するサービスを提供するようになっている。
また、高層ビル内には、複数のエレベータ、およびエスカレータが設けられている。ここでは、１号機エスカレータ、および、１号機から５号機までのエレベータが高層ビル内に設けられている。
なお、１号機エスカレータは、１階から２階までの上りエスカレータであり、１号機エレベータは、２階と３０階との間の専用の直通エレベータである。２号機エレベータおよび３号機エレベータは、２階から３０階までの各階にかごが停止する乗用エレベータである。４号機エレベータおよび５号機エレベータは、３０階から３２階までの各階にかごが停止する乗用エレベータである。
【００１０】
例えば、来訪者が１階の受付から３２階のレストランに行く場合、来訪者は、まず、１階の１号機エスカレータを利用した後、２階の１号機エレベータ、３０階の４号機エレベータの順にエレベータを乗り継いで３２階のレストランに移動することとなる。なお、図２の矢印は、１階の受付から３２階のレストランに来訪者が実際に移動する場合の経路を示している。
【００１１】
図３は、案内装置本体２の構成を示すブロック図である。図３において、案内装置本体２は、通信部２１、入力部２２、情報出力部２３、記憶部２４、および、これらを制御する処理部（ＣＰＵ）２５を有している。以下、これら各部２１〜２５について詳述する。
通信部２１は、例えば入出力インターフェースである。入力部２２は、例えばタッチパネルである。情報出力部２３は、経路案内サービスに関する情報を来訪者に対して出力するものである。ここでは、ディスプレイ装置２３ａとスピーカ２３ｂとが情報出力部２３に用いられている。
記憶部２４は、例えば、メモリ，ＨＤＤである。この記憶部２４には、経路情報ｄ１および移動時間データｄ２が格納されている。
【００１２】
経路情報ｄ１は、任意の行き先に昇降機（エスカレータ，エレベータ）を経由して辿り着くまでの移動経路を示すデータである。この経路情報ｄ１には、例えば、高層ビル内の案内マップ中にあらわした移動経路を表示して案内するための情報、および、移動経路を音声により案内するための情報が含まれている。
【００１３】
移動時間データｄ２は、予め設定されているデータである。ここでは、任意の場所から任意のエレベータの乗場階の乗場に来訪者が移動してそのエレベータのかごに乗車する場合の来訪者の移動時間がその移動経路を配慮した上で移動時間データｄ２に設定されている。
例えば、来訪者が、１号機エレベータから４号機エレベータに３０階で乗り継ぐ場合は、両エレベータの３０階の乗場間の移動距離に応じた来訪者の移動時間が移動時間データｄ２に設定されている。
【００１４】
処理部２５には、選定部２５ａ、情報指示部２５ｂ、および、登録部２５ｃが含まれている。これら各部２５ａ〜２５ｃの機能は、次のとおりである。
選定部２５ａは、行き先に辿り着くまでの経路の選定等を行う。情報指示部２５ｂは、経路情報ｄ１等の表示の指示を行う。登録部２５ｃは、エレベータのかごを乗場階に到着させる登録を行ったり、行先階にかごを移動させる登録を行う。
【００１５】
図４は、案内装置本体２の外観を示す外観図である。図４によると、案内装置本体２には、ディスプレイ装置２３ａ、スピーカ２３ｂ、および案内板２６が装備されている。ディスプレイ装置２３ａは、入力部（タッチパネル）２２と兼用している。なお、案内板２６には、高層ビル内に設けられている施設（レストラン，ショールーム等）が階ごとに案内されている。
【００１６】
図５は、かご内表示部３の取り付けを示す説明図である。図５によると、かご内表示部３は、行先階操作盤５とサービス階表示盤６と同様、かご出入口の右側に設けられている。なお、行先階操作盤５は、１階から３２階までの複数の行先階ボタンを有している。また、サービス階表示盤６は、サービス階を表示するように構成されている。
【００１７】
図６は、案内装置本体２の動作を示すフローチャートである。
例えば、高層ビルの来訪者が、１階の受付で、案内装置本体２の入力部２２を操作して、３２階のレストランを行き先として指定する。
すると、案内装置本体２の選定部２５ａは、入力部２２により指定された行き先のデータを受信し（Ｓ１０１）、その行き先に昇降機を経由して辿り着くまでの経路情報ｄ１を記憶部２４から検索して選定する（Ｓ１０２）。
【００１８】
続いて、情報指示部２５ｂは、選定部２５ａにより選定された経路情報ｄ１の出力の指示を情報出力部２３に行う（Ｓ１０３）。これにより、情報出力部２３のディスプレイ装置２３ａ上には、図７に示すように、１階の受付（現在地）から３２階のレストラン（行き先）までの経路情報ｄ１が表示される。
ここでは、１階の経路案内データｄ３，２階の経路案内データｄ４，３０階の経路案内データｄ５，３２階の経路案内データｄ６が経路情報ｄ１に含まれている。
１階の経路案内データｄ３には、受付から１号機エスカレータの１階の乗場までの移動経路が設定されている。２階の経路案内データｄ４には、１号機エスカレータの２階の乗場から１号機エレベータの２階の乗場までの移動経路が設定されている。３０階の経路案内データｄ５には、１号機エレベータの３０階の乗場から４号機エレベータの３０階の乗場までの移動経路が設定されている。３２階の経路案内データｄ６には、４号機エレベータの３２階の乗場から３２階のレストランまでの移動経路が設定されている。
来訪者は、ディスプレイ装置２３ａ上の経路情報ｄ１を視覚的に確認し、１階の受付から１号機エスカレータに移動することとなる。
【００１９】
また、情報指示部２５ｂからの指示により、情報出力部２３のスピーカ２３ｂからは、選定部２５ａにより選定された経路情報ｄ１による音声案内が行われる。これにより、来訪者は、音声案内を聞いてからレストランに移動することが可能となる。
【００２０】
次に、情報指示部２５ｂおよび登録部２５ｃは、群管理装置１に対し、下記の指示および登録を順次行うこととなる（Ｓ１０４〜Ｓ１１０）。すると、群管理装置１は、適切なタイミングで、経路案内データｄ４〜ｄ６を表示させる制御を行ったり、１号機エレベータのかごを移動させる制御を行うこととなる。
【００２１】
具体的には、情報指示部２５ｂは、経路情報ｄ１に含まれている２階の経路案内データｄ４をエスカレータ用表示部４に表示させる指示を群管理装置１に対して行う（Ｓ１０４）。
すると、群管理装置１は、所定のタイミング（例えば、予め設定された時間経過時）に２階の経路案内データｄ４をエスカレータ用表示部４に表示させる制御を行うこととなる。
これにより、１号機エスカレータを降りた来訪者は、図８に示す２階の経路案内データｄ４をエスカレータ用表示部４上で確認し、１号機エレベータの２階の乗場に移動することとなる。
【００２２】
そして、登録部２５ｃは、記憶部２４の移動時間データｄ２により指定された時間が経過した後、経路情報ｄ１により案内された１号機エレベータのかごを２階に到着させる登録を群管理装置１に対して行う（Ｓ１０５）。
すると、群管理装置１は、予め設定された時間が経過した後に１号機エレベータのかごを２階に到着させる制御を行うこととなる。
これにより、１号機エスカレータから１号機エレベータに乗り継ぐ来訪者は、１号機エレベータの乗場ボタンを操作することなく、１号機エレベータのかごに２階で乗車することが可能となる。
【００２３】
また、登録部２５ｃは、１号機エレベータのかごを３０階に移動させる登録を群管理装置１に対して行う（Ｓ１０６）。
すると、群管理装置１は、２階に到着した１号機エレベータのかごを３０階に移動させる制御を行うこととなる。これにより、１号機エレベータのかごに乗車した来訪者は、行先階ボタンを操作することなく、３０階に移動することが可能となる。
【００２４】
次に、情報指示部２５ｂは、群管理装置１を介して、１号機エレベータのかご内表示部３に対し、経路情報ｄ１に含まれている３０階の経路案内データｄ５の表示の指示を行う（Ｓ１０７）。
すると、群管理装置１は、１号機エレベータのかごを２階から３０階に移動させる際、１号機エレベータのかご内表示部４上に３０階の経路案内データｄ５を表示させる制御を行う。
これにより、１号機エレベータのかごに乗車した来訪者は、図９に示す３０階の経路案内データｄ５をかご内表示部３上で確認し、３０階の乗り継ぎ階で、１号機エレベータの３０階の乗場から４号機エレベータの３０階の乗場に円滑に移動することが可能となる。
【００２５】
そして、登録部２５ｃは、記憶部２４の移動時間データｄ２により指定された時間が経過した後、経路情報ｄ１により乗り換え案内された４号機エレベータのかごを３０階に到着させる登録を群管理装置１に対して行う（Ｓ１０８）。
すると、群管理装置１は、予め設定された時間が経過した後に４号機エレベータのかごを３０階に到着させる制御を行うこととなる。
これにより、１号機エレベータから４号機エレベータに乗り継ぐ来訪者は、４号機エレベータの乗場ボタンを操作することなく、４号機エレベータのかごに乗車することが可能となる。
【００２６】
また、登録部２５ｃは、４号機エレベータのかごを３２階に移動させる登録を群管理装置１に対して行う（Ｓ１０９）。
すると、群管理装置１は、３０階に到着した４号機エレベータのかごを３２階に移動させる制御を行うこととなる。これにより、３０階で４号機エレベータに乗り継いだ来訪者は、行先階ボタンを操作することなく、レストランがある３２階に移動することが可能となる。
【００２７】
次に、情報指示部２５ｂは、群管理装置１を介して、４号機エレベータのかご内表示部３に対し、経路情報ｄ１に含まれている３２階の経路案内データｄ６の表示の指示を行う（Ｓ１１０）。
すると、群管理装置１は、４号機エレベータのかごを３０階から３２階に移動させる際に、４号機エレベータのかご内表示部３上に３２階の経路案内データｄ６を表示させる制御を行う。
これにより、４号機エレベータに３０階で乗り継いだ来訪者は、３２階の経路案内データｄ６をかご内表示部３上で確認し、４号機エレベータの３２階の乗場からレストランに円滑に移動することが可能となる。
【００２８】
このように、実施の形態１に係る行先経路案内システムによると、案内装置本体２の処理部２５は、入力部２２により指定された行き先に対応する経路情報ｄ１を記憶部２４から選定してディスプレイ装置２３ａに出力する。このため、来訪者等の利用者は、ディスプレイ装置２３ａ上の経路情報ｄ１に設定されている全体の移動経路を把握したのち、レストラン等の行き先に昇降機を利用して移動することができる。したがって、例えば、利用者が経路確認のために移動中に立ち止まる回数が減り、利用者の移動効率が向上することとなる。以上より、利用者を円滑に目的地まで誘導することが可能となる。
【００２９】
また、経路情報ｄ１には、昇降機の乗り継ぎに関する経路案内データｄ４，ｄ５が含まれているので、利用者は、昇降機を円滑に乗り継いで目的地に辿り着くことが可能となる。
【００３０】
さらに、処理部２５は、入力部２２により行き先が指定された場合、移動時間データｄ２により指定された時間が経過した後に経由するエレベータのかごを乗場階に到着させる登録を群管理装置１に対して行う。これにより、利用者は、エレベータの乗場で長く待つことなく、迅速にかごに乗車することが可能となる。したがって、かごの待ち時間が短縮され、かごの乗車，エレベータの乗り継ぎが迅速に行うことが可能となる。
【００３１】
さらにまた、処理部２５は、入力部２２により行き先が指定された場合、乗場階に到着させたエレベータのかごを任意の階（乗り継ぎ階，指定の行き先がある階）に移動させる登録をエレベータ制御装置に対して行う。これにより、利用者は、乗車後、行先階ボタンを操作することなく、任意の階に移動することが可能となる。したがって、利用者は、行先階ボタンの誤操作をすることなく、任意の階に移動することが可能となる。
【００３２】
また、各エレベータのかご内に設けられたかご内表示部３、および、エスカレータに設けられたエスカレータ用表示部４は、経路情報ｄ１に含まれる経路案内データを利用者に対して表示するように構成されている。このため、利用者は、移動前だけでなく、かごの乗車中，エスカレータの乗車後においても、移動経路を確認することが可能となる。
【００３３】
さらに、スピーカ２３ｂは、経路情報ｄ１を音声により案内するようになっているので、利用者は、より的確に移動経路を把握することが可能となる。
【００３４】
実施の形態２．
図１０は、本発明の実施の形態２に係る昇降機システムの要部を示すブロック図である。なお、実施の形態１と同様の部分は、同一符号を付して重複説明を適宜省略する。
図１０において、案内装置本体２には、複数の無線基地局用アンテナ７が接続され、携帯機器８が各無線基地局用アンテナ７を介して案内装置本体２と無線通信が行えるように構成されている。
携帯機器８は、携帯可能な情報携帯端末である。この携帯機器８は、通信部２１、入力部２２、ディスプレイ装置２３ａ、スピーカ２３ｂ、アンテナ８１、および、これらを制御するＣＰＵ２５が搭載されている。ここでは、図１１に示すように、携帯機器８の通信部２１にはアンテナが用いられ、入力部２２には操作ボタンが用いられている。
【００３５】
来訪者は、任意の場所から、携帯機器８を操作して任意の行き先を指定し、その行き先を無線で案内装置本体２に送信する。すると、案内装置本体２は、まず、携帯機器８から送信された無線信号により、携帯端末８の位置を検出する。そして、案内装置本体２は、携帯機器８の位置から行き先に昇降機を経由して辿り着くまでの経路情報ｄ１を無線で携帯機器８に送信する。これにより、来訪者は、携帯機器８上に表示された経路情報ｄ１を確認しながら、行き先に移動することが可能となる。
また、案内装置本体２は、記憶部２４の移動時間データｄ２により、携帯機器８の位置から任意のエレベータの乗場階の乗場までの経路に応じて設定された移動時間が経過した後にそのエレベータのかごを乗場階に到着させる登録を群管理装置１に対して行う。これにより、エレベータの乗場での利用者の待ち時間が短縮することとなり、エレベータの運転効率が向上する。
【００３６】
このように、実施の形態２に係る行先経路案内システムによると、携帯機器８と案内装置本体２の処理部２５との間は、無線による情報通信が可能になっているので、携帯機器８を携帯した利用者は、経路情報ｄ１を確認しながら、行き先に移動することが可能となる。したがって、行き先までの経路を案内するサービスが何時でも何処でも利用者に提供することが可能となり、案内サービスの向上を図ることが可能となる。
【００３７】
なお、上記実施の形態１，２において、行先経路案内システムの利用場所は、高層ビルに限られず、例えばホテル等であってもよい。
【図面の簡単な説明】
【００３８】
【図１】本発明の実施の形態１に係る昇降機システムの要部を示すブロック図である。
【図２】図１の昇降機システムを装備している高層ビル内の一部を示す説明図である。
【図３】図１の案内装置本体の構成を示すブロック図である。
【図４】図１の案内装置本体の外観を示す外観図である。
【図５】図１のかご内表示部の取り付けを示す説明図である。
【図６】図１の案内装置本体の動作を示すフローチャートである。
【図７】図３の案内装置本体のディスプレイ装置上に表示される経路情報を示す説明図である。
【図８】図２のエレベータ用表示部上に表示される経路情報の一部を示す説明図である。
【図９】図５のかご内表示部上に表示される経路情報の一部を示す説明図である。
【図１０】本発明の実施の形態２に係る昇降機システムの要部を示すブロック図である。
【図１１】図１０の携帯機器の外観を示す外観図である。
【符号の説明】
【００３９】
１  群管理装置、２  案内装置本体、３  かご内表示部、４  エスカレータ用表示部、２１  通信部、２２  入力部、２３  情報出力部、２３ａ  ディスプレイ装置、２３ｂ  スピーカ、２４  記憶部、２５  処理部、２５ａ  選定部、２５ｂ  情報指示部、２５ｃ  登録部、ｄ１  経路情報、ｄ２  移動時間データ。
【図１】
2005200181.tif 000003
【図２】
2005200181.tif 000004
【図３】
2005200181.tif 000005
【図４】
2005200181.tif 000006
【図５】
2005200181.tif 000007
【図６】
2005200181.tif 000008
【図７】
2005200181.tif 000009
【図８】
2005200181.tif 000010
【図９】
2005200181.tif 000011
【図１０】
2005200181.tif 000012
【図１１】
2005200181.tif 000013